(57)【要約】【課題】画像再生装置の動画再生機能を十分に活かすことができるようにする。【解決手段】ファイル形式の動画データである動画ファイルを再生するファイル再生部２３０を有するデジタルフォトフレーム２００に用いられる変換装置１３０Ａは、テレビ放送波を受信処理する受信処理部１２０が出力するデータストリームを動画ファイルに変換するファイル変換部１３１と、ファイル変換部１３１により得られた動画ファイルを記憶するファイル記憶部１３２とを具備する。ファイル記憶部１３２に記憶された動画ファイルは、ファイル再生部２３０によって再生される。【選択図】図２
2011205382.tif 000002
【特許請求の範囲】
【請求項１】
ファイル形式の動画データである動画ファイルを再生するファイル再生部を有する画像再生装置に用いられる変換装置であって、
テレビ放送波を受信処理する受信処理部が出力するデータストリームを前記動画ファイルに変換するファイル変換部と、
前記ファイル変換部により得られた前記動画ファイルを記憶するファイル記憶部と
を具備し、
前記ファイル記憶部に記憶された前記動画ファイルは、前記ファイル再生部によって再生され、前記画像再生装置により前記テレビ放送波を受信可能としたことを特徴とする変換装置。
【請求項２】
前記受信処理部を制御する受信制御部をさらに具備し、
前記ファイル記憶部は、複数の放送局毎に設けられた複数の選局用ファイルを記憶し、
前記受信制御部は、前記ファイル記憶部に記憶された一つの選局用ファイルに対するアクセスがあった場合に、前記一つの選局用ファイルと対応する放送局を選局するように前記受信部を制御することを特徴とする請求項１に記載の変換装置。
【請求項３】
前記ファイル変換部を制御する変換制御部をさらに具備し、
前記ファイル変換部は、複数のファイル形式をサポートしており、
前記ファイル記憶部は、前記複数のファイル形式毎に設けられた複数の形式選択用ファイルを記憶し、
前記変換制御部は、前記ファイル記憶部に記憶された一つの形式選択用ファイルに対するアクセスがあった場合に、前記一つの形式選択用ファイルと対応するファイル形式で変換を行うように前記ファイル変換部を制御することを特徴とする請求項１又は２に記載の変換装置。
【請求項４】
前記ファイル記憶部を制御する記憶制御部をさらに具備し、
前記ファイル変換部は、前記データストリームを所定間隔で分割することによって得られた複数の動画ファイルを前記ファイル記憶部に記憶させており、
前記記憶制御部は、前記複数の動画ファイルのうち再生済みの動画ファイルを順次削除するように前記ファイル記憶部を制御することを特徴とする請求項１〜３の何れか一項に記載の変換装置。
【請求項５】
ユーザからの選局操作を受け付ける操作受付部と、
前記操作受付部が受け付けた前記選局操作と対応する放送局を選局するように前記受信部を制御する受信制御部とをさらに有することを特徴とする請求項１に記載の変換装置。
【請求項６】
前記受信処理部を有する受信装置と直接的に接続される第１のインタフェース部と、
前記画像再生装置と直接的に接続される第２のインタフェース部と
をさらに具備することを特徴とする請求項１〜５の何れか一項に記載の変換装置。
【請求項７】
テレビ放送波を受信処理する受信処理部と、
請求項１〜５の何れかに記載の変換装置と
を具備することを特徴とする受信装置。
【請求項８】
前記画像再生装置と直接的に接続されるインタフェース部をさらに具備することを特徴とする請求項７に記載の受信装置。
【発明の詳細な説明】
【技術分野】
【０００１】
本発明は、デジタルフォトフレームのような画像再生装置に用いられる変換装置及び受信装置に関する。
【背景技術】
【０００２】
デジタルカメラの普及に伴い、デジタルカメラを用いて得られた静止画をプリントアウトすることなく手軽に見るための機器として、画像再生装置（いわゆる、デジタルフォトフレーム）の普及が進んでいる。
【０００３】
画像再生装置は、ファイル形式の静止画（以下、静止画ファイル）が記憶された記憶媒体（例えば、メモリカードやＵＳＢメモリ等）を装着することで、記憶媒体内の静止画ファイルを再生して表示するように構成されている。
【０００４】
近年では、動画撮影に対応したデジタルカメラ等が増えてきており、画像再生装置も動画再生に対応した高度なものが増えてきている（例えば、特許文献１参照）。そのような画像再生装置は、ファイル形式の動画データ（以下、動画ファイル）を記憶する記憶媒体が装着され、動画ファイルを再生して表示する。
【先行技術文献】
【特許文献】
【０００５】
【特許文献１】特開２００６−２０９０３９号公報
【発明の概要】
【発明が解決しようとする課題】
【０００６】
しかしながら、画像再生装置は、再生するファイルを頻繁に更新するユーザにとっては利用価値が高いものの、再生するファイルを余り更新しないユーザにとっては利用価値が低いのが現状である。
【０００７】
特に、動画再生に対応した画像再生装置は、高度な機能を具備しているにも拘わらず、その機能が十分に活かされていないという問題があった。
【０００８】
そこで、本発明は、画像再生装置の動画再生機能を十分に活かすことができる変換装置及び受信装置を提供することを目的とする。
【課題を解決するための手段】
【０００９】
上述した課題を解決するために、本発明は以下のような特徴を有している。まず、本発明の変換装置の特徴は、ファイル形式の動画データである動画ファイルを再生するファイル再生部（ファイル再生部２３０）を有する画像再生装置（デジタルフォトフレーム２００）に用いられる変換装置（変換装置１３０Ａ又は変換装置１３０Ｂ）であって、テレビ放送波を受信処理する受信処理部（受信処理部１２０）が出力するデータストリームを前記動画ファイルに変換するファイル変換部（ファイル変換部１３１）と、前記ファイル変換部により得られた前記動画ファイルを記憶するファイル記憶部（ファイル記憶部１３２）とを具備し、前記ファイル記憶部に記憶された前記動画ファイルは、前記ファイル再生部によって再生され、前記画像再生装置により前記テレビ放送波を受信可能としたことを要旨とする。
【００１０】
このような特徴によれば、テレビ放送波を受信処理する受信処理部が出力するデータストリームを動画ファイルに変換して記憶する。記憶された動画ファイルは、画像再生装置のファイル再生部によって再生される。すなわち、本発明の変換装置によれば、画像再生装置をテレビ視聴に使用することが可能になる。したがって、画像再生装置の動画再生機能を十分に活かすことができるため、画像再生装置の利用価値を高めることができる。
【００１１】
特に、本発明の変換装置、又は本発明の変換装置を内蔵した受信装置を画像再生装置に装着することによって、既存の画像再生装置をそのままテレビ視聴に使用することができ、ユーザの利便性を高めることができる。
【００１２】
本発明の変換装置の他の特徴は、上記の特徴に係る変換装置において、前記受信処理部を制御する受信制御部（制御部１３３）をさらに具備し、前記ファイル記憶部は、複数の放送局毎に設けられた複数の選局用ファイルを記憶し、前記受信制御部は、前記ファイル記憶部に記憶された一つの選局用ファイルに対するアクセスがあった場合に、前記一つの選局用ファイルと対応する放送局を選局するように前記受信部を制御することを要旨とする。
【００１３】
本発明の変換装置の他の特徴は、上記の特徴に係る変換装置において、前記ファイル変換部を制御する変換制御部（制御部１３３）をさらに具備し、前記ファイル変換部は、複数のファイル形式をサポートしており、前記ファイル記憶部は、前記複数のファイル形式毎に設けられた複数の形式選択用ファイルを記憶し、前記変換制御部は、前記ファイル記憶部に記憶された一つの形式選択用ファイルに対するアクセスがあった場合に、前記一つの形式選択用ファイルと対応するファイル形式で変換を行うように前記ファイル変換部を制御することを要旨とする。
【００１４】
本発明の変換装置の他の特徴は、上記の特徴に係る変換装置において、前記ファイル記憶部を制御する記憶制御部（制御部１３３）をさらに具備し、前記ファイル変換部は、前記データストリームを所定間隔で分割することによって得られた複数の動画ファイルを前記ファイル記憶部に記憶させており、前記記憶制御部は、前記複数の動画ファイルのうち再生済みの動画ファイルを順次削除するように前記ファイル記憶部を制御することを要旨とする。
【００１５】
本発明の変換装置の他の特徴は、上記の特徴に係る変換装置において、ユーザからの選局操作を受け付ける操作受付部（操作受付部１５０）と、前記操作受付部が受け付けた前記選局操作と対応する放送局を選局するように前記受信部を制御する受信制御部とをさらに有することを要旨とする。
【００１６】
本発明の変換装置の他の特徴は、上記の特徴に係る変換装置において、前記受信処理部を有する受信装置と直接的に接続される第１のインタフェース部（インタフェース部１３５）と、前記画像再生装置と直接的に接続される第２のインタフェース部（インタフェース部１３４）とをさらに具備することを要旨とする。
【００１７】
本発明の受信装置（テレビ放送受信装置１００Ａ）の特徴は、テレビ放送波を受信処理する受信処理部（受信処理部１２０）と、上記の特徴に係る変換装置とを具備することを要旨とする。
【００１８】
本発明の受信装置の他の特徴は、上記の特徴に係る受信装置において、前記画像再生装置と直接的に接続されるインタフェース部（インタフェース部１３４）をさらに具備することを要旨とする。
【発明の効果】
【００１９】
本発明によれば、画像再生装置の動画再生機能を十分に活かすことができる変換装置及び受信装置を提供できる。
【図面の簡単な説明】
【００２０】
【図１】第１実施形態に係るテレビ放送受信装置がデジタルフォトフレームに装着された状態を示す斜視図である。
【図２】第１実施形態に係るテレビ放送受信装置、及びデジタルフォトフレームのそれぞれの構成を示すブロック図である。
【図３】第２実施形態に係る変換装置がデジタルフォトフレームに装着された状態を示す斜視図である。
【図４】第２実施形態に係るテレビ放送受信装置、テレビ放送受信装置、及びデジタルフォトフレームのそれぞれの構成を示すブロック図である。
【図５】第１実施形態及び第２実施形態の応用例１を説明するための図である。
【図６】第１実施形態及び第２実施形態の応用例２を説明するための図である。
【図７】第１実施形態及び第２実施形態の応用例３を説明するための図である。
【図８】第１実施形態及び第２実施形態の応用例４を説明するための図である。
【発明を実施するための形態】
【００２１】
図面を参照して、本発明の実施形態を説明する。以下の各実施形態における図面において、同一又は類似の部分には同一又は類似の符号を付す。以下の実施形態においては、画像再生装置の一例としてデジタルフォトフレームを説明する。
【００２２】
（１）第１実施形態
まず、第１実施形態について説明する。第１実施形態は、動画ファイルの再生に対応した既存のデジタルフォトフレームを利用してテレビ視聴を実現する実施形態である。
【００２３】
図１は、第１実施形態に係るテレビ放送受信装置１００Ａがデジタルフォトフレーム２００に装着された状態を示す斜視図である。図２は、第１実施形態に係るテレビ放送受信装置１００Ａ及びデジタルフォトフレーム２００のそれぞれの構成を示すブロック図である。
【００２４】
図１に示すように、テレビ放送受信装置１００Ａは、テレビ放送波を受信する小型のチューナ装置である。本実施形態では、テレビ放送受信装置１００Ａは、１セグメント方式又はフルセグメント方式の地上デジタルテレビ放送の放送波、又は地上アナログテレビ放送の放送波を受信する。デジタルフォトフレーム２００は、動画ファイルの再生に対応しており、動画ファイルを再生して表示する。
【００２５】
テレビ放送受信装置１００Ａは、ケーブルを介さずにデジタルフォトフレーム２００に直接的に接続される。具体的には、図２に示すように、テレビ放送受信装置１００Ａのインタフェース部１３４がデジタルフォトフレーム２００のインタフェース部２１０に挿入されることで、テレビ放送受信装置１００Ａがデジタルフォトフレーム２００に固定される。
【００２６】
インタフェース部１３４及びインタフェース部２１０のそれぞれは、ＵＳＢ（Universal Serial Bus）規格に準拠して構成されている。インタフェース部１３４は、テレビ放送受信装置１００Ａを駆動するための電力がデジタルフォトフレーム２００から供給される。通常、デジタルフォトフレーム２００のインタフェース部２１０は、静止画ファイルや動画ファイルが格納されたＵＳＢストレージデバイスが挿入される。このため、デジタルフォトフレーム２００は、インタフェース部２１０に挿入されるテレビ放送受信装置１００ＡをＵＳＢストレージデバイスとして認識する。
【００２７】
テレビ放送受信装置１００Ａは、アンテナ１１０、受信処理部１２０、ファイル変換部１３１、ファイル記憶部１３２、制御部１３３、インタフェース部１３４を有する。第１実施形態において、ファイル変換部１３１、ファイル記憶部１３２、制御部１３３、及びインタフェース部１３４は、変換装置１３０Ａを構成する。
【００２８】
アンテナ１１０としては、伸縮可能なロッドアンテナが使用できる。あるいは、アンテナ端子に取り付けられるＦ型インタフェース変換アダプタを介して、家庭用のテレビアンテナが接続されてもよい。アンテナ１１０は、テレビ放送波を受信する。
【００２９】
アンテナ１１０が受信したテレビ放送波は受信処理部１２０に入力される。受信処理部１２０は、入力されるテレビ放送波を受信処理する。具体的には、テレビ放送波を増幅するとともに低周波数帯に変換し、且つ復調及び復号する。このような受信処理により、受信処理部１２０は、テレビ放送波と同期し、時間的に連続なデータストリームを出力する。テレビ放送波が地上デジタルテレビ放送波である場合、受信処理部１２０は、データストリームとしてＭＰＥＧ２−ＴＳ（Transport Stream）データを出力する。
【００３０】
受信処理部１２０が出力するデータストリームは受信処理部１２０に入力される。ファイル変換部１３１は、入力されるデータストリームを動画ファイルに変換する。動画ファイルのファイル形式としては、例えばｍｐ４が使用できる。
【００３１】
受信処理部１２０が出力する動画ファイルはファイル記憶部１３２に入力される。ファイル記憶部１３２は、動画ファイルを記憶する。ファイル記憶部１３２としては、例えば不揮発性の半導体メモリ（フラッシュメモリ）が使用できる。
【００３２】
制御部１３３は、受信処理部１２０、ファイル変換部１３１、及びファイル記憶部１３２を制御する。また、制御部１３３は、デジタルフォトフレーム２００からのアクセスを受け付ける。当該アクセスは、ＵＳＢストレージデバイスに対するアクセスと同様のアクセスであり、動画ファイルの読み出し・書き込みを指示するものである。制御部１３３は、指定された動画ファイルをファイル記憶部１３２から読み出してデジタルフォトフレーム２００に転送する。
【００３３】
次に、デジタルフォトフレーム２００の構成を説明する。デジタルフォトフレーム２００は、インタフェース部２１０、制御部２２０、ファイル再生部２３０、表示部２４０、音声出力部２５０、操作受付部２６０を有する。
【００３４】
インタフェース部２１０は、テレビ放送受信装置１００Ａのインタフェース部１３４が挿入される。インタフェース部２１０は、テレビ放送受信装置１００Ａの制御部１３３から転送された動画ファイルを受信する。
【００３５】
制御部２２０は、ファイル再生部２３０、表示部２４０、及び音声出力部２５０を制御する。制御部２２０は、ユーザが操作受付部２６０に対して行う操作に応じて、テレビ放送受信装置１００Ａにアクセスする。
【００３６】
ファイル再生部２３０は、インタフェース部２１０が受信した動画ファイルが制御部２２０を介して入力される。ファイル再生部２３０は、入力された動画ファイルを再生し、動画データ及び音声データを生成する。動画ファイルのファイル形式がｍｐ４である場合、ファイル再生部２３０は、ｍｐ４に従って動画ファイルを再生する。
【００３７】
ファイル再生部２３０によって生成された動画データは、表示部２４０に入力される。表示部２４０は、入力される動画データに応じて動画を表示する。表示部２４０としては、例えば液晶ディスプレイ又は有機ＥＬディスプレイ等が使用できる。
【００３８】
ファイル再生部２３０によって生成された音声データは、音声出力部２５０に入力される。音声出力部２５０は、入力される音声データに応じて音声を出力する。
【００３９】
操作受付部１５０は、ユーザからの操作を受け付けるものである。操作受付部１５０としては、各種キーやボタンが使用できるが、タッチパネルを使用する場合には表示部２４０と一体化されていてもよい。
【００４０】
以上説明したように、第１実施形態に係るテレビ放送受信装置１００Ａによれば、動画ファイルの再生に対応した既存のデジタルフォトフレーム２００をそのままテレビ視聴に使用することが可能になる。したがって、デジタルフォトフレーム２００の動画再生機能を十分に活かすことができるため、デジタルフォトフレーム２００の利用価値を高めることができる。
【００４１】
また、第１実施形態では、テレビ放送受信装置１００Ａがデジタルフォトフレーム２００に直接的に接続されるため、テレビ放送受信装置１００Ａをデジタルフォトフレーム２００と一体的に取り扱うことができる。
【００４２】
（２）第２実施形態
次に、第２実施形態について説明する。第２実施形態は、動画ファイルの再生に対応した既存のデジタルォトフレーム、且つ既存のテレビ放送受信装置を利用してテレビ視聴を実現する実施形態である。
【００４３】
図３は、第２実施形態に係る変換装置１３０Ｂがデジタルフォトフレーム２００に装着された状態を示す斜視図である。図４は、第２実施形態に係るテレビ放送受信装置１００Ｂ、テレビ放送受信装置１００Ｂ、及びデジタルフォトフレーム２００のそれぞれの構成を示すブロック図である。デジタルフォトフレーム２００の構成は第１実施形態と同様であるため、第２実施形態では、テレビ放送受信装置１００Ｂ及び変換装置１３０Ｂについて説明する。
図３に示すように、テレビ放送受信装置１００Ｂは、テレビ放送波を受信する小型のチューナ装置である。本実施形態では、テレビ放送受信装置１００Ｂは、１セグメント方式又はフルセグメント方式の地上デジタルテレビ放送の放送波、又は地上アナログテレビ放送の放送波を受信する。
【００４４】
テレビ放送受信装置１００Ｂは、ケーブルを介さずに変換装置１３０Ｂに直接的に接続される。具体的には、図４に示すように、テレビ放送受信装置１００Ｂのインタフェース部１２１がデジタルフォトフレーム２００のインタフェース部１３５に挿入されることで、テレビ放送受信装置１００Ｂが変換装置１３０Ｂに固定される。インタフェース部１２１及びインタフェース部１３５のそれぞれは、ＵＳＢ規格に準拠して構成されている。インタフェース部１２１は、テレビ放送受信装置１００Ｂを駆動するための電力が変換装置１３０Ｂから供給される。
【００４５】
また、変換装置１３０Ｂは、ケーブルを介さずにデジタルフォトフレーム２００に直接的に接続される。具体的には、変換装置１３０Ｂのインタフェース部１３４がデジタルフォトフレーム２００のインタフェース部２１０に挿入されることで、テレビ放送受信装置１００Ｂ及び変換装置１３０Ｂがデジタルフォトフレーム２００に固定される。
【００４６】
インタフェース部１３４及びインタフェース部２１０のそれぞれは、ＵＳＢ規格に準拠して構成されている。インタフェース部１３４は、テレビ放送受信装置１００Ｂを駆動するための電力がデジタルフォトフレーム２００から供給される。
【００４７】
通常、デジタルフォトフレーム２００のインタフェース部２１０は、静止画ファイルや動画ファイルが格納されたＵＳＢストレージデバイスが挿入される。このため、デジタルフォトフレーム２００は、インタフェース部２１０に挿入される変換装置１３０ＢをＵＳＢストレージデバイスとして認識する。
【００４８】
テレビ放送受信装置１００Ｂは、アンテナ１１０、受信処理部１２０、及びインタフェース部１２１を有する。アンテナ１１０としては、伸縮可能なロッドアンテナが使用できる。あるいは、アンテナ端子に取り付けられるＦ型インタフェース変換アダプタを介して、家庭用のテレビアンテナが接続されてもよい。アンテナ１１０は、テレビ放送波を受信する。
【００４９】
アンテナ１１０が受信したテレビ放送波は受信処理部１２０に入力される。受信処理部１２０は、入力されるテレビ放送波を受信処理する。具体的には、テレビ放送波を増幅するとともに低周波数帯に変換し、且つ復調及び復号する。このような受信処理により、受信処理部１２０は、テレビ放送波と同期し、且つ時間的に連続なデータストリームを出力する。テレビ放送波が地上デジタルテレビ放送波である場合、受信処理部１２０は、データストリームとしてＭＰＥＧ２−ＴＳ（Transport Stream）データを出力する。
【００５０】
変換装置１３０Ｂは、インタフェース部１３５、ファイル変換部１３１、ファイル記憶部１３２、制御部１３３、及びインタフェース部１３４を有する。
【００５１】
受信処理部１２０が出力するデータストリームはインタフェース部１３４を介して受信処理部１２０に入力される。ファイル変換部１３１は、入力されるデータストリームを動画ファイルに変換する。動画ファイルのファイル形式としては、例えばｍｐ４が使用できる。
【００５２】
受信処理部１２０が出力する動画ファイルはファイル記憶部１３２に入力される。ファイル記憶部１３２は、動画ファイルを記憶する。ファイル記憶部１３２としては、例えば不揮発性の半導体メモリ（フラッシュメモリ）が使用できる。
【００５３】
制御部１３３は、受信処理部１２０、ファイル変換部１３１、及びファイル記憶部１３２を制御する。また、制御部１３３は、デジタルフォトフレーム２００からのアクセスを受け付ける。当該アクセスは、ＵＳＢストレージデバイスに対するアクセスと同様のアクセスであり、動画ファイルの読み出し・書き込みを指示するものである。制御部１３３は、指定された動画ファイルをファイル記憶部１３２から読み出してデジタルフォトフレーム２００に転送する。
【００５４】
以上説明したように、第２実施形態に係る変換装置１３０Ｂによれば、動画ファイルの再生に対応した既存のデジタルフォトフレーム２００と、既存のテレビ放送受信装置１００Ｂ（テレビチューナ）とをそのままテレビ視聴に使用することが可能になる。したがって、デジタルフォトフレーム２００の動画再生機能を十分に活かすことができるため、デジタルフォトフレーム２００の利用価値を高めることができる。
【００５５】
（３）その他の実施形態
上記のように、本発明は第１実施形態及び第２実施形態によって記載したが、この開示の一部をなす論述及び図面はこの発明を限定するものであると理解すべきではない。この開示から当業者には様々な代替実施形態、実施例及び運用技術が明らかとなる。
【００５６】
（３．１）応用例１
図５は、上述した各実施形態の応用例１を説明するための図である。本応用例では、ファイル記憶部１３２は、複数の放送局毎に設けられた複数の選局用ファイルを予め記憶する。
【００５７】
例えば、放送局Ａと対応する選局用ファイル＃１と、放送局Ｂと対応する選局用ファイル＃２とが設けられる。ファイル記憶部１３２に記憶された各選局用ファイルは、通常の静止画ファイルや動画ファイルと同様にデジタルフォトフレーム２００によって認識可能である。ユーザは、デジタルフォトフレーム２００を介して何れかの選局用ファイルを指定する操作を行う。制御部２２０は、当該操作に応じて、指定された選局用ファイルにアクセスする。
【００５８】
制御部２２０は、ファイル記憶部１３２に記憶された選局用ファイルに対するアクセスがあった場合に、アクセスのあった選局用ファイルと対応する放送局を選局するように受信処理部１２０を制御する。このようにして、動画ファイルの再生に対応した既存のデジタルフォトフレーム２００をそのままテレビ視聴に使用する場合でも、放送局（すなわちチャンネル）の切り替えが実現できる。このような方法によれば、デジタルフォトフレーム２００からのファイルアクセスにより選局を行うことができるため、選局専用のコマンド等を新たに設ける必要が無い。
【００５９】
（３．２）応用例２
図６は、上述した各実施形態の応用例２を説明するための図である。本応用例では、ファイル変換部１３１は、複数のファイル形式（例えば、ＭＰＥＧ１/２/４、ｍｐ４等）をサポートしている。ファイル記憶部１３２は、複数のファイル形式毎に設けられた複数の形式選択用ファイルを予め記憶する。
【００６０】
例えば、ＭＰＥＧ２と対応する形式選択用ファイル＃１と、ｍｐ４と対応する形式選択用ファイル＃２とが設けられる。ファイル記憶部１３２に記憶された各形式選択用ファイルは、通常の静止画ファイルや動画ファイルと同様にデジタルフォトフレーム２００によって認識可能である。ユーザは、デジタルフォトフレーム２００を介して何れかの各形式選択用ファイルを指定する操作を行う。制御部２２０は、当該操作に応じて、指定された選局用ファイルにアクセスする。
【００６１】
制御部２２０は、ファイル記憶部１３２に記憶された形式選択用ファイルに対するアクセスがあった場合に、アクセスのあった形式選択用ファイルと対応するファイル形式での変換を行うようにファイル変換部１３１を制御する。このようにして、動画ファイルの再生に対応した既存のデジタルフォトフレーム２００をそのままテレビ視聴に使用する場合でも、ファイル形式の選択が実現できる。このような方法によれば、デジタルフォトフレーム２００からのファイルアクセスによりファイル形式の選択を行うことができるため、ファイル形式選択専用のコマンド等を新たに設ける必要が無い。
【００６２】
（３．３）応用例３
図７は、上述した各実施形態の応用例３を説明するための図である。本応用例では、ファイル変換部１３１は、データストリームを所定間隔で分割することによって得られた複数の動画ファイル＃１，＃２，…をファイル記憶部１３２に記憶させる。所定間隔とは、一定データ量の間隔、あるいは一定時間間隔である。
【００６３】
制御部２２０は、複数の動画ファイル＃１，＃２，…のうち再生済みの動画ファイルを順次削除するようにファイル記憶部１３２を制御する。このような特徴によれば、ファイル記憶部１３２に記憶される動画ファイルの管理を容易にすることができるとともに、ファイル記憶部１３２の記憶容量を節約できる。
【００６４】
（３．４）応用例４
図８は、上述した各実施形態の応用例４を説明するための図である。上述した応用例１では、デジタルフォトフレーム２００からのファイルアクセスを利用して選局を実現していたが、本応用例では、ユーザ操作を受け付ける操作受付部１５０をテレビ放送受信装置１００Ａに設けることで、選局やファイル形式選択を実現する。操作受付部１５０は、各種キーやボタン等により構成される。制御部１３３は、操作受付部１５０が受け付けた選局操作と対応する放送局を選局するように受信処理部１２０を制御する。このような構成によれば、ユーザからの選局操作を直接的に受け付けることができる。
【００６５】
（３．５）応用例５
上述した各実施形態に係る変換装置１３０Ａ又は変換装置１３０Ｂをデジタルフォトフレーム２００に内蔵する構成としてもよい。このような構成によれば、既存のデジタルフォトフレームを利用することはできないものの、デジタルフォトフレーム２００を視聴に使用することができる。
【００６６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６７】
１００Ａ，１００Ｂ…テレビ放送受信装置、１１０…アンテナ、１２０…受信処理部、１２１…インタフェース部、１３０Ａ，１３０Ｂ…変換装置、１３１…ファイル変換部、１３２…ファイル記憶部、１３３…制御部、１３４…インタフェース部、１３５…インタフェース部、１５０…操作受付部、２００…デジタルフォトフレーム、２１０…インタフェース部、２２０…制御部、２３０…ファイル再生部、２４０…表示部、２５０…音声出力部、２６０…操作受付部
【図１】
2011205382.tif 000003
【図２】
2011205382.tif 000004
【図３】
2011205382.tif 000005
【図４】
2011205382.tif 000006
【図５】
2011205382.tif 000007
【図６】
2011205382.tif 000008
【図７】
2011205382.tif 000009
【図８】
2011205382.tif 000010